(57)【要約】【課題】音声情報及び映像情報を含むＩＰパケットが再送された場合には、かかるＩＰパケットに含まれているクロック情報に基づく内部基準クロックの調整を行わないことによって、音声情報及び映像情報の再生処理を行う際に、各受信機において同期が取れないという事態が発生すること回避する。【解決手段】送信機１０から送信されたパケットに含まれているクロック情報に基づいて内部基準クロックを調整することによって送信機１０との同期を取る受信機３０Ａ〜３０Ｃは、受信したパケットが再送されたパケットである場合、かかるパケットに含まれているクロック情報に基づいて内部基準クロックを調整しない。【選択図】図７
2008085500.tif 000002
【特許請求の範囲】
【請求項１】
送信機から送信されたパケットに含まれているクロック情報に基づいて内部基準クロックを調整することによって前記送信機との同期を取る受信機であって、
受信した前記パケットが再送されたパケットである場合、前記パケットに含まれているクロック情報に基づいて前記内部基準クロックを調整しないことを特徴とする受信機。
【請求項２】
前記パケットにおいて、音声情報又は映像情報のいずれか一方と、前記クロック情報とが含まれていることを特徴とする請求項１に記載の受信機。
【請求項３】
送信機から送信されたパケットに含まれているクロック情報に基づいて内部基準クロックを調整することによって前記送信機との同期を取る受信機であって、
前記クロック情報を含むパケットは、音声情報又は映像情報を含むパケットとは別に、マルチキャスト通信によって送信されることを特徴とする受信機。
【請求項４】
第１のコンテンツ情報と第２のコンテンツ情報とクロック情報と共に、前記第１のコンテンツ情報と前記第２のコンテンツ情報と前記クロック情報とを受信するために必要な第１のコンテンツ構成情報を含むパケットを、受信機に対して送信する送信機であって、
前記第１のコンテンツ構成情報を、前記第１のコンテンツ情報及び第１のクロック情報を受信するために必要であり、かつ、前記第２のコンテンツ情報及び第２のクロック情報を受信するために必要な第２のコンテンツ構成情報に変更するコンテンツ構成情報変更部と、
前記第１のコンテンツ情報と前記第１のクロック情報と前記第２のコンテンツ構成情報とを含む第１のパケットを第１の受信機に対して送信し、前記第２のコンテンツ情報と前記第２のクロック情報と前記第２のコンテンツ構成情報とを含む第２のパケットを第２の受信機に対して送信する送信処理部とを具備することを特徴とする送信機。
【請求項５】
送信機と受信機との間で同期を取る同期制御方法であって、
前記送信機が、第１のコンテンツ情報と第１のクロック情報とを含む第１のパケットを第１の受信機に対して送信し、第２のコンテンツ情報と第２のクロック情報とを含む第２のパケットを第２の受信機に対して送信する工程と、
前記第１の受信機が、前記送信機から送信された前記第１のパケットに含まれている前記第１のクロック情報に基づいて内部基準クロックを調整することによって前記送信機との同期を取る工程と、
前記第２の受信機が、前記送信機から送信された前記第２のパケットに含まれている前記第２のクロック情報に基づいて内部基準クロックを調整することによって前記送信機との同期を取る工程とを有し、
前記第１の受信機は、受信した前記第１のパケットが再送されたパケットである場合、前記第１のパケットに含まれている前記第１のクロック情報に基づいて前記内部基準クロックを調整せず、
前記第２の受信機は、受信した前記第２のパケットが再送されたパケットである場合、前記第２のパケットに含まれている前記第２のクロック情報に基づいて前記内部基準クロックを調整しないことを特徴とする同期制御方法。
【請求項６】
送信機と受信機との間で同期を取る同期制御方法であって、
前記送信機が、第１のコンテンツ情報を含む第１のパケットを第１の受信機に対して送信し、第２のコンテンツ情報を含む第２のパケットを第２の受信機に対して送信する工程と、
前記送信機が、前記クロック情報を含む第３のパケットを、マルチキャスト通信によって送信する工程と、
前記第１の受信機及び前記第２の受信機が、前記送信機から送信された前記第３のパケットに含まれている前記クロック情報に基づいて内部基準クロックを調整することによって前記送信機との同期を取る工程とを有することを特徴とする同期制御方法。
【請求項７】
送信機から送信されたパケットに含まれているクロック情報に基づいて内部基準クロックを調整することによって前記送信機との同期を取る受信機であって、
前記送信機から送信されたパケットに含まれているクロック情報を抽出する受信処理部と、
前記受信処理部により受信された前記パケットが、前記送信機により再送されたパケットであると判定された場合、前記受信処理部により抽出された前記クロック情報に基づいて、内部基準クロックを調整しないように構成されているクロック管理部とを具備することを特徴とする受信機。
【発明の詳細な説明】
【技術分野】
【０００１】
本発明は、送信機から送信されたパケットに含まれているクロック情報に基づいて内部基準クロックを調整することによって前記送信機との同期を取る受信機に関する。
【０００２】
また、本発明は、音声情報と映像情報とクロック情報と共に、前記音声情報と前記映像情報と前記クロック情報を受信するために必要なコンテンツ構成情報を含むパケットを、受信機に対して送信する送信機に関する。
【０００３】
さらに、本発明は、上述の送信機と上述の受信機との間で同期を取る同期制御方法に関する。
【背景技術】
【０００４】
従来、音声映像情報出力機器（送信機）から、ＩＰネットワークを介して、有線で接続されている映像再生機器及び音声再生機器（受信機）に対して、それぞれ、音声情報及び映像情報を含む同一のＩＰパケットを配信する方法が知られている。
【０００５】
しかしながら、かかる有線接続を用いた配信方法では、各機器が有線で接続されているため、各機器の設置方法や設置場所が限定されてしまい、配線も煩雑になるという問題点があった。
【０００６】
そこで、各機器の配置方法や配置場所の自由度を高めるために、音声映像情報出力機器（送信機）から、ＩＰネットワークを介して、無線で接続されている映像再生機器及び音声再生機器（受信機）に対して、それぞれ、音声情報及び映像情報を含む同一のＩＰパケットを配信する方法が考えられている。
【０００７】
かかる無線接続を用いた配信方法では、ＵＤＰを用いてマルチキャスト通信又はユニキャスト通信によって、かかるＩＰパケットを配信する第１の配信方法、及び、ＴＣＰを用いてユニキャスト通信（Ｐｅｅｒ  ｔｏ  Ｐｅｅｒ通信）によって、かかるＩＰパケットを配信する第２の配信方法が想定される。
【０００８】
かかる無線接続を用いたＩＰパケットの配信方法では、有線接続を用いたＩＰパケットの配信方法と比べて、送信機と受信機との間の伝送路が不安定であることからＩＰパケットが欠落する可能性が高いため、何らかの対策を採る必要がある。
【０００９】
この点、第１の配信方法には、ＱｏＳ（Ｑｕａｌｉｔｙ  ｏｆ  Ｓｅｒｖｉｃｅ）制御の仕組みが存在しないため、音声情報及び映像情報を含むＩＰパケットの配信エラーが発生した場合であっても、送信機は、かかるＩＰパケットを再送することができず、受信機における音声情報及び映像情報の再生品質に影響を与えてしまうという問題点があった。
【００１０】
かかる問題点を解決するために、音声情報及び映像情報を含むＩＰパケットにＦＥＣデータを付与するという方法が考えられるが、かかるＦＥＣデータが冗長なデータとなり、ＩＰネットワークにおけるトラフィックが増大してしまうという問題点があった。
【００１１】
これに対して、第２の配信方法には、ＱｏＳ制御の仕組みが存在するため、音声情報及び映像情報を含むＩＰパケットの配信エラーが発生した場合には、送信機が、かかるＩＰパケットを再送することができるため、上述の受信機における音声情報及び映像情報の再生品質に対する影響の問題を解決することができる。
【００１２】
なお、かかるＩＰネットワークでは、受信機は、送信機から送信されたＩＰパケットに含まれているクロック情報に基づいて内部基準クロックを調整することによって当該送信機との同期を取るように構成されている。
【特許文献１】特開２００２-３６９１６３号公報
【発明の開示】
【発明が解決しようとする課題】
【００１３】
しかしながら、上述の第２の配信方法では、音声情報及び映像情報を含むＩＰパケットが再送されることにより、当該ＩＰパケットが再送された受信機とその他の受信機との間で、内部基準クロックにずれが生じ、音声情報及び映像情報の再生処理を行う際に、各受信機において同期が取れないという問題点があった。
【００１４】
また、上述のように、かかるＩＰパケットには、音声情報及び映像情報が含まれているが、受信機によっては（例えば、スピーカのような音声再生機器やディスプレイのような映像再生機器等においては）、それら全ての情報を必要でないものもある。
【００１５】
しかしながら、送信機は、各受信機に対して、音声情報及び映像情報を含む同一のＩＰパケットを、それぞれ送信するように構成されているため、ＩＰネットワークにおけるトラフィックが増大してしまうという問題点があった。
【００１６】
そこで、本発明は、以上の点に鑑みてなされたもので、送信機と受信機との間で同期を取ることによって、複数の受信機間の同期を取ることを目的とする。
【００１７】
また、本発明は、音声情報及び映像情報を含むＩＰパケットが再送された場合には、かかるＩＰパケットに含まれているクロック情報に基づく内部基準クロックの調整を行わないことによって、音声情報及び映像情報の再生処理を行う際に、各受信機において同期が取れない問題点を解決することを目的とする。
【００１８】
また、本発明は、送信機が、各受信機が必要とするコンテンツ情報のみを送信することによって、ＩＰネットワークにおけるトラフィックの増大を防ぐことを目的とする。
【課題を解決するための手段】
【００１９】
本発明の第１の特徴は、送信機から送信されたパケットに含まれているクロック情報に基づいて内部基準クロックを調整することによって前記送信機との同期を取る受信機であって、受信した前記パケットが再送されたパケットである場合、前記パケットに含まれているクロック情報に基づいて前記内部基準クロックを調整しないことを要旨とする。
【００２０】
ここで、クロック情報とは、送信機と受信機との間で同期を取るための基準となる情報である。また、内部基準クロックとは、受信機内部における基準クロック（所謂、システムクロック）である。
【００２１】
かかる発明によれば、各受信機が、再送されたパケットに含まれているクロック情報に基づくのではなく、再生されることなく正常に受信されたパケットに含まれているクロック情報に基づいて、内部基準クロックの調整を行うため、当該パケットが再送された受信機とその他の受信機との間で、内部基準クロックにずれが生じ、音声情報及び映像情報の再生処理を行う際に、各受信機において同期が取れないという事態が発生することを回避することができる。
【００２２】
本発明の第１の特徴において、前記パケットにおいて、音声情報又は映像情報のいずれか一方と、前記クロック情報とが含まれていてもよい。
【００２３】
かかる発明によれば、音声情報及び映像情報の両方を必要としない受信機において、必要なコンテンツ情報のみを受信することができ、トラフィックの増大を防ぐことができる。
【００２４】
本発明の第２の特徴は、送信機から送信されたパケットに含まれているクロック情報に基づいて内部基準クロックを調整することによって前記送信機との同期を取る受信機であって、前記クロック情報を含むパケットは、音声情報又は映像情報を含むパケットとは別に、マルチキャスト通信によって送信されることを要旨とする。
【００２５】
かかる発明によれば、各受信機が、音声情報又は映像情報を含むパケットとは別に、マルチキャスト通信によって送信されるクロック情報に基づいて、内部基準クロックを調整するため、音声情報又は映像情報を含むパケットが再送された場合であっても、当該パケットが再送された受信機とその他の受信機との間で、内部基準クロックにずれが生じ、音声情報及び映像情報の再生処理を行う際に、各受信機において同期が取れないという事態が発生することを回避することができる。
【００２６】
本発明の第３の特徴は、第１のコンテンツ情報と第２のコンテンツ情報とクロック情報と共に、前記第１のコンテンツ情報と前記第２のコンテンツ情報と前記クロック情報とを受信するために必要な第１のコンテンツ構成情報を含むパケットを、受信機に対して送信する送信機であって、前記第１のコンテンツ構成情報を、前記第１のコンテンツ情報及び第１のクロック情報を受信するために必要であり、かつ、前記第２のコンテンツ情報及び第２のクロック情報を受信するために必要な第２のコンテンツ構成情報に変更するコンテンツ構成情報変更部と、前記第１のコンテンツ情報と前記第１のクロック情報と前記第２のコンテンツ構成情報とを含む第１のパケットを第１の受信機に対して送信し、前記第２のコンテンツ情報と前記第２のクロック情報と前記第２のコンテンツ構成情報とを含む第２のパケットを第２の受信機に対して送信する送信処理部とを具備することを要旨とする。
【００２７】
かかる発明によれば、送信機が、第１のコンテンツ情報（例えば、映像情報）及び第２のコンテンツ情報（例えば、音声情報）の両方を必要としない受信機に対して、必要なコンテンツ情報のみを送信することができ、トラフィックの増大を防ぐことができる。
【００２８】
本発明の第４の特徴は、送信機と受信機との間で同期を取る同期制御方法であって、前記送信機が、第１のコンテンツ情報と第１のクロック情報とを含む第１のパケットを第１の受信機に対して送信し、第２のコンテンツ情報と第２のクロック情報とを含む第２のパケットを第２の受信機に対して送信する工程と、前記第１の受信機が、前記送信機から送信された前記第１のパケットに含まれている前記第１のクロック情報に基づいて内部基準クロックを調整することによって前記送信機との同期を取る工程と、前記第２の受信機が、前記送信機から送信された前記第２のパケットに含まれている前記第２のクロック情報に基づいて内部基準クロックを調整することによって前記送信機との同期を取る工程とを有し、前記第１の受信機は、受信した前記第１のパケットが再送されたパケットである場合、前記第１のパケットに含まれている前記第１のクロック情報に基づいて前記内部基準クロックを調整せず、前記第２の受信機は、受信した前記第２のパケットが再送されたパケットである場合、前記第２のパケットに含まれている前記第２のクロック情報に基づいて前記内部基準クロックを調整しないことを要旨とする。
【００２９】
かかる発明によれば、第１の受信機及び第２の受信機が、再送されたパケットに含まれているクロック情報に基づくのではなく、再送されることなく正常に受信されたパケットに含まれているクロック情報に基づいて、内部基準クロックの調整を行うため、当該パケットが再送された受信機とその他の受信機との間で、内部基準クロックにずれが生じ、音声情報及び映像情報の再生処理を行う際に、各受信機において同期が取れないという事態が発生することを回避することができる。
【００３０】
また、かかる発明によれば、送信機が、第１のコンテンツ情報（例えば、映像情報）及び第２のコンテンツ情報（例えば、音声情報）の両方を必要としない受信機に対して、必要なコンテンツ情報のみを送信することができ、トラフィックの増大を防ぐことができる。
【００３１】
本発明の第５の特徴は、送信機と受信機との間で同期を取る同期制御方法であって、前記送信機が、第１のコンテンツ情報情報を含む第１のパケットを第１の受信機に対して送信し、第２のコンテンツ情報を含む第２のパケットを第２の受信機に対して送信する工程と、前記送信機が、前記クロック情報を含む第３のパケットを、マルチキャスト通信によって送信する工程と、前記第１の受信機及び前記第２の受信機が、前記送信機から送信された前記第３のパケットに含まれている前記クロック情報に基づいて内部基準クロックを調整することによって前記送信機との同期を取る工程とを有することを要旨とする。
【００３２】
かかる発明によれば、各受信機が、第１のコンテンツ情報（例えば、映像情報）又は第２のコンテンツ情報（例えば、音声情報）を含むパケットとは別に、マルチキャスト通信によって送信されるクロック情報に基づいて、内部基準クロックを調整するため、第１のコンテンツ情報（例えば、映像情報）又は第２のコンテンツ情報（例えば、音声情報）を含むパケットが再送された場合であっても、当該パケットが再送された受信機とその他の受信機との間で、内部基準クロックにずれが生じ、第１のコンテンツ情報（例えば、映像情報）及び第２のコンテンツ情報（例えば、音声情報）の再生処理を行う際に、各受信機において同期が取れないという事態が発生することを回避することができる。
【００３３】
また、かかる発明によれば、送信機が、第１のコンテンツ情報（例えば、映像情報）及び第２のコンテンツ情報（例えば、音声情報）の両方を必要としない受信機に対して、必要なコンテンツ情報のみを送信することができ、トラフィックの増大を防ぐことができる。
【００３４】
本発明の第６の特徴は、送信機から送信されたパケットに含まれているクロック情報に基づいて内部基準クロックを調整することによって前記送信機との同期を取る受信機であって、前記送信機から送信されたパケットに含まれているクロック情報を抽出する受信処理部と、前記受信処理部により受信された前記パケットが、前記送信機により再送されたパケットであると判定された場合、前記受信処理部により抽出された前記クロック情報に基づいて、内部基準クロックを調整しないように構成されているクロック管理部とを具備することを要旨とする。
【００３５】
かかる発明によれば、各受信機が、再送されたパケットに含まれているクロック情報に基づくのではなく、再生されることなく正常に受信されたパケットに含まれているクロック情報に基づいて、内部基準クロックの調整を行うため、当該パケットが再送された受信機とその他の受信機との間で、内部基準クロックにずれが生じ、音声情報及び映像情報の再生処理を行う際に、各受信機において同期が取れないという事態が発生することを回避することができる。
【発明の効果】
【００３６】
以上説明したように、本発明によれば、送信機１０と受信機３０との間で同期を取ることによって、複数の受信機間の同期を取ることができる。
【００３７】
また、本発明によれば、音声情報及び映像情報を含むＩＰパケットが再送された場合には、かかるＩＰパケットに含まれているクロック情報に基づく内部基準クロックの調整を行わないことによって、音声情報及び映像情報の再生処理を行う際に、各受信機において同期が取れないという事態が発生すること回避することができる。
【００３８】
また、本発明によれば、送信機が、各受信機が必要とするコンテンツ情報のみを送信することによって、ＩＰネットワークにおけるトラフィックの増大を防ぐことができる。
【発明を実施するための最良の形態】
【００３９】
（本発明の第１の実施形態に係る配信システムの構成）
図１乃至図５を参照して、本発明の第１の実施形態に係る送信機１０及び受信機３０を具備する配信システムの構成について説明する。
【００４０】
本実施形態に係る配信システムでは、図１に示すように、送信機１０は、ユニキャスト通信によって、サブネットワークである無線ＩＰネットワークを介して、音声情報又は映像情報のいずれか一方と、クロック情報（ＰＣＲ：Ｐｒｏｇｒａｍ  Ｃｌｏｃｋ  Ｒｅｆｅｒｅｎｃｅ）とを含むＩＰパケットを、各受信機３０Ａ乃至３０Ｃに対して、それぞれ配信するように構成されている。
【００４１】
図１の例では、送信機１０は、音声情報とＰＣＲ＃２とを含むＩＰパケットを、スピーカ＃１である受信機３０Ｂ及びスピーカ＃２である受信機３０Ｃに対して送信し、映像情報とＰＣＲ＃１とを含むＩＰパケットを、ディスプレイである受信機３０Ａに対して送信している。
【００４２】
なお、ＰＣＲ＃１及びＰＣＲ＃２は、各受信機３０Ａ乃至３０Ｃが、内部基準クロックを調整することによって送信機１０との同期を取るために用いられるクロック情報である。
【００４３】
ここで、ＰＣＲ＃１及びＰＣＲ＃２には、送信機における内部基準クロックでカウントされた値が挿入されているものとする。例えば、ＰＣＲ＃１及びＰＣＲ＃２には、送信機における２７ＭＨｚクロックでカウントされた４２ビット値のＳＴＣ（Ｓｙｓｔｅｍ  Ｔｉｍｅ  Ｃｌｏｃｋ）が挿入されている。
【００４４】
また、送信機１０は、音声情報と映像情報とＰＣＲ（クロック情報）と共に、当該音声情報と当該映像情報と当該クロック情報を受信するために必要な第１のコンテンツ構成情報（ＰＳＩ：Ｐｒｏｇｒａｍ  Ｓｐｅｃｉｆｉｃ  Ｉｎｆｏｒｍａｔｉｏｎ）を含むパケットを、各受信機３０Ａ乃至３０Ｃに対して送信するように構成されている。
【００４５】
図２に示すように、送信機１０は、記憶部１１と、分離処理部１２と、ＰＳＩ更新部１３と、ＰＣＲ生成部１４と、送信処理部１５と、バッファ１６と、再送要求受信部１７とを具備している。
【００４６】
記憶部１１は、音声情報と映像情報とデータ情報とを含むパケット、例えば、ＭＰＥＧ-２  ＴＳ（Ｔｒａｎｓｐｏｒｔ  Ｓｔｒｅａｍ）で規定されているＴＳパケットを記憶するように構成されている。
【００４７】
具体的には、ＭＰＥＧ-２  ＴＳでは、符号化された音声情報や映像情報やデータ情報によって構成されているＥＳ（Ｅｌｅｍｅｎｔａｒｙ  Ｓｔｒｅａｍ）が、パケット化され分割されてＰＥＳ（Ｐａｃｋｅｔｉｚｅｄ  Ｅｌｅｍｅｎｔａｒｙ  Ｓｔｒｅａｍ）となり、かかるＰＥＳが、ＴＳパケットのペイロードに挿入されるように構成されている。
【００４８】
なお、ＰＥＳには、ＰＥＳヘッダが付与されており、かかるＰＥＳヘッダ内に、上述の音声情報及び映像情報の表示又は再生時刻を指定するＰＴＳ（Ｐｒｅｓｅｎｔａｔｉｏｎ  Ｔｉｍｅ  Ｓｔａｍｐ）や、上述の音声情報及び映像情報の復号化時刻を指定するＤＴＳ（Ｄｅｃｏｄｉｎｇ  Ｔｉｍｅ  Ｓｔａｍｐ）が記述されている。
【００４９】
また、かかるＴＳパケットのペイロードには、セクションとして、図３（ａ）に示す構造を有するＰＳＩ（第１のコンテンツ構成情報）が挿入されるように構成されている。
【００５０】
図３（ａ）に示す構造を有するＰＳＩにおいて、ＰＡＴ（Ｐｒｏｇｒａｍ  Ａｓｓｏｃｉａｔｉｏｎ  Ｔａｂｌｅ）が、ＰＭＴ（Ｐｒｏｇｒａｍ  Ｍａｐｐｅｄ  Ｔａｂｌｅ）が挿入されているＴＳパケットの「ＰＩＤ（パケット識別子）＝Ｎ」を記述している。
【００５１】
また、かかるＰＳＩにおいて、「ＰＩＤ＝Ｎ」のＴＳパケットに挿入されているＰＭＴは、映像情報が挿入されているＴＳパケットの「ＰＩＤ＝ＶＮ」と、音声情報が挿入されているＴＳパケットの「ＰＩＤ＝ＡＮ」と、ＰＣＲが挿入されているＴＳパケットの「ＰＩＤ＝ＣＮ」とを記述している。
【００５２】
分離処理部１２は、ＴＳパケットに挿入されているＰＳＩ（すなわち、ＰＡＴやＰＭＴ）を参照して、当該ＴＳパケットに含まれている音声情報と映像情報とデータ情報とを分離して、送信処理部１５に送信するように構成されている。
【００５３】
ＰＳＩ更新部１３は、記憶部１１に記憶されているＴＳパケットに挿入されている第１のコンテンツ構成情報（図３（ａ）の構造を有するＰＳＩ）を、映像情報及び第１のクロック情報（ＰＣＲ＃１）を受信するために必要であり、かつ、音声情報及び第２のクロック情報（ＰＣＲ＃２）を受信するために必要な第２のコンテンツ構成情報（図３（ｂ）の構造を有するＰＳＩ）に変更するように構成されている。
【００５４】
なお、本実施形態では、第２のコンテンツ構成情報は、図３（ｂ）に示す構造を有する１つのＰＳＩによって実現されているが、映像情報と第１のクロック情報（ＰＣＲ＃１）とを受信するために必要なＰＳＩ及び音声情報と第２のクロック情報（ＰＣＲ＃２）とを受信するために必要なＰＳＩというように複数のＰＳＩによって実現されていてもよい。
【００５５】
図３（ｂ）に示すように、変更後のＰＳＩにおいて、ＰＡＴが、ＰＭＴ＃１が挿入されているＴＳパケットの「ＰＩＤ＝Ｎ１」を記述すると共に、ＰＭＴ＃２が挿入されているＴＳパケットの「ＰＩＤ＝Ｎ２」を記述している。
【００５６】
また、かかる変更後のＰＳＩにおいて、「ＰＩＤ＝Ｎ１」のＴＳパケットに挿入されているＰＭＴ＃１は、映像情報が挿入されているＴＳパケットの「ＰＩＤ＝ＶＮ」と、ＰＣＲ＃１が挿入されているＴＳパケットの「ＰＩＤ＝ＣＮ１」とを記述している。
【００５７】
また、かかる変更後のＰＳＩにおいて、「ＰＩＤ＝Ｎ２」のＴＳパケットに挿入されているＰＭＴ＃２は、音声情報が挿入されているＴＳパケットの「ＰＩＤ＝ＡＮ」と、ＰＣＲ＃２が挿入されているＴＳパケットの「ＰＩＤ＝ＣＮ２」とを記述している。
【００５８】
ＰＣＲ生成部１４は、送信処理部１５によってＴＳパケットを含むＩＰパケットが送信される際のクロック情報（ＰＣＲ＃１及びＰＣＲ＃２）を生成するように構成されている。例えば、ＰＣＲ生成部１４は、送信処理部１５によってＴＳパケットを含むＩＰパケットが送信される際のＳＴＣをＰＣＲに挿入するように構成されている。
【００５９】
なお、ＰＣＲ生成部１４は、ＰＣＲ＃１及びＰＣＲ＃２に対して同一のＳＴＣを挿入するように構成されている。
【００６０】
送信処理部１５は、映像情報と第１のクロック情報（ＰＣＲ＃１）と第２のコンテンツ構成情報（図３（ｂ）の構造を有するＰＳＩ）とを含む第１のパケットを第１の受信機（受信機３０Ａ）に対して送信し、音声情報と第２のクロック情報（ＰＣＲ＃２）と第２のコンテンツ構成情報（図３（ｂ）の構造を有するＰＳＩ）とを含む第２のパケットを第２の受信機（受信機３０Ｂ及び３０Ｃ）に対して送信するように構成されている。
【００６１】
具体的には、図４に示すように、送信処理部１５は、映像情報及びＰＣＲ＃１が挿入されているＴＳパケットに対してＴＣＰヘッダ及びＩＰヘッダが付与されたフォーマットのＩＰパケット、すなわち、映像情報及びＰＣＲ＃１が挿入されているＴＳパケットを含むＩＰパケットを、受信機３０Ａに対して送信するように構成されている。
【００６２】
ここで、かかるＩＰパケットのＩＰヘッダには、送信先アドレスとして受信機３０ＡのＩＰアドレスが記述されており、送信元アドレスとして送信機１０のＩＰアドレスが記述されている。また、ＴＣＰヘッダには、送信元ポート番号や、送信先ポート番号や、送信シーケンス番号（ＳＥＱ値）等が記述されている。
【００６３】
また、送信処理部１５は、音声情報及びＰＣＲ＃２が挿入されているＴＳパケットに対してＴＣＰヘッダ及びＩＰヘッダが付与されたフォーマットのＩＰパケット、すなわち、音声情報及びＰＣＲ＃２が挿入されているＴＳパケットを含むＩＰパケットを、受信機３０Ｂ及び３０Ｃに対して送信するように構成されている。
【００６４】
ここで、かかるＩＰパケットのＩＰヘッダには、送信先アドレスとして受信機３０Ｂ又は３０ＣのＩＰアドレスが記述されており、送信元アドレスとして送信機１０のＩＰアドレスが記述されている。また、ＴＣＰヘッダには、送信元ポート番号や、送信先ポート番号や、送信シーケンス番号（ＳＥＱ値）等が記述されている。
【００６５】
また、送信処理部１５は、上述のＩＰパケットを送信した後、かかるＩＰパケットに対する送信完了応答（ＡＣＫ）を受信するまでの間、かかるＩＰパケットをバッファ１６に一時的に保存するように構成されている。
【００６６】
また、送信処理部１５は、再送要求受信部１７から、特定のＩＰパケットに対する再送要求を受信した旨の通知を受けた場合、かかるＩＰパケットを再送するように構成されている。
【００６７】
かかる場合、送信処理部１５は、かかるＩＰパケットに含まれているＰＣＲ＃１又はＰＣＲ＃２を変更することなく、かかるＩＰパケットを再送するように構成されている。
【００６８】
再送要求受信部１７は、受信機３０Ａ乃至３０Ｃからの再送要求を受信し、その旨を送信処理部１５に通知するように構成されている。
【００６９】
また、受信機３０（３０Ａ乃至３０Ｃ）は、送信機１０から送信されたＩＰパケットに含まれているクロック情報（ＰＣＲ＃１及びＰＣＲ＃２）に基づいて内部基準クロックを調整することによって送信機１０との同期を取るように構成されている。
【００７０】
図５に示すように、受信機３０は、受信処理部３１と、バッファ３２と、復号処理部３３と、再生処理部３４と、クロック管理部３５と、再送要求送信部３６とを具備している。
【００７１】
受信処理部３１は、送信機１０から送信されたＩＰパケット、又は、送信機１０から再送されたＩＰパケットについて受信処理を行うように構成されている。
【００７２】
具体的には、受信処理部３１は、受信したＩＰパケットに含まれているＴＳパケットに挿入されているＰＳＩを参照して、ＰＥＳを抽出してバッファ３２に蓄積するように構成されている。
【００７３】
なお、かかるＩＰパケットには、映像情報又は音声情報のいずれか一方と、クロック情報（ＰＣＲ＃１又はＰＣＲ＃２）とが含まれている。
【００７４】
また、受信処理部３１は、再送されることなく正常に受信されたＩＰパケットに含まれているＴＳパケットに挿入されているＰＳＩを参照して、ＰＣＲ＃１又はＰＣＲ＃２を抽出してクロック管理部３５に送信するように構成されている。
【００７５】
なお、受信処理部３１は、再送されたＩＰパケットに含まれているＰＣＲ＃１又はＰＣＲ＃２を抽出してクロック管理部３５に送信しないように構成されていてもよい。
【００７６】
ここで、受信処理部３１は、受信したＩＰパケットが再送されたＩＰパケットであるか否かについて、受信したＩＰパケットにおけるＴＣＰヘッダに含まれている送信シーケンス番号に基づいて判定するように構成されている。
【００７７】
復号処理部３３は、バッファ３２に蓄積されているＰＥＳに付与されているＰＥＳヘッダ内のＤＴＳ及びクロック管理部３５によって管理されているＳＴＣ（内部基準クロック）を参照して、当該ＰＥＳのペイロードに挿入されている映像情報又は音声情報について復号処理を行うように構成されている。
【００７８】
具体的には、復号処理部３３は、クロック管理部３５によって管理されているＳＴＣが、特定のＰＥＳに付与されているＰＥＳヘッダ内のＤＴＳと等しくなった場合に、当該ＰＥＳについて復号処理を行うように構成されている。
【００７９】
再生処理部３４は、バッファ３２に蓄積されているＰＥＳに付与されているＰＥＳヘッダ内のＰＴＳ及びクロック管理部３５によって管理されているＳＴＣを参照して、当該ＰＥＳのペイロードに挿入されている映像情報又は音声情報について再生処理（表示処理）を行うように構成されている。
【００８０】
具体的には、再生処理部３４は、クロック管理部３５によって管理されているＳＴＣが、特定のＰＥＳに付与されているＰＥＳヘッダ内のＰＴＳと等しくなった場合に、当該ＰＥＳについて再生処理を行うように構成されている。
【００８１】
クロック管理部３５は、受信処理部３１から送信されたＰＣＲ＃１又はＰＣＲ＃２に基づいてＳＴＣを調整することによって、送信機１０との同期を取るように構成されている。その結果、各受信機３０Ａ乃至３０Ｃの間の同期も確立されるようになる。
【００８２】
例えば、クロック管理部３５は、受信処理部３１から送信されたＰＣＲ＃１又はＰＣＲ＃２に含まれているＳＴＣを、受信機におけるＳＴＣとして設定するように構成されている。
【００８３】
なお、受信処理部３１により受信されたＩＰパケットが再送されたパケットである場合、クロック管理部３５は、かかるＩＰパケットに含まれているクロック情報（ＰＣＲ＃１又はＰＣＲ＃２）に基づいて内部基準クロック（ＳＴＣ）を調整しないように構成されている。
【００８４】
ここで、クロック管理部３５は、受信したＩＰパケットが再送されたＩＰパケットであるか否かについて、受信したＩＰパケットにおけるＴＣＰヘッダに含まれている送信シーケンス番号に基づいて判定するように構成されている。
【００８５】
再送要求送信部３６は、受信処理部３１によるＩＰパケットの受信処理が失敗した場合、かかるＩＰパケットを再送するように要求する再送要求を、送信機１０に対して送信するように構成されている。
【００８６】
（本発明の第１の実施形態に係る配信システムの動作）
図６及び図７を参照して、本発明の第１の実施形態に係る配信システムの動作について説明する。
【００８７】
第１に、図６を参照して、本実施形態に係る送信機１０と受信機３０との間のＩＰパケットの配信方法について説明する。
【００８８】
図６に示すように、ステップＳ１００１において、受信機３０が、ＳＳＤＰ（Ｓｉｍｐｌｅ  Ｓｅｒｖｉｃｅ  Ｄｉｓｃｏｖｅｒｙ  Ｐｒｏｔｏｃｏｌ）を用いて、マルチキャスト通信によって、無線ＩＰネットワーク上に存在する機器を検索するための機器検索要求を送信する。
【００８９】
ステップＳ１００２において、無線ＩＰネットワーク上に存在する送信機１０が、かかる機器検索要求に対する応答を、ユニキャスト通信によって、受信機３０に対して返送する。
【００９０】
ステップＳ１００３において、受信機３０が、かかる送信機１０の機器情報を取得するための機器情報取得要求を、ユニキャスト通信によって、送信機１０に対して送信し、ステップＳ１００４において、送信機１０が、かかる機器情報取得要求に応じて、送信機１０の機器情報を、ユニキャスト通信によって、受信機３０に対して返送する。
【００９１】
ステップＳ１００５において、受信機３０が、かかる送信機１０のサービス情報を取得するためのサービス情報取得要求を、ユニキャスト通信によって、送信機１０に対して送信し、ステップＳ１００６において、送信機１０が、かかるサービス情報取得要求に応じて、送信機１０のサービス情報を、ユニキャスト通信によって、受信機３０に対して返送する。
【００９２】
ステップＳ１００７において、受信機３０が、送信機１０に対して、データ要求を送信する。
【００９３】
送信機１０は、ステップＳ１００８において、受信機３０の機器情報及びサービス情報を考慮して、映像情報とＰＣＲ＃１（第１のクロック情報）とを含む第１のＩＰパケット、又は、音声情報とＰＣＲ＃２（第２のクロック情報）とを含む第２のＩＰパケットを生成し、ステップＳ１００９において、かかる第１のＩＰパケット又は第２のＩＰパケットを、受信機３０に送信する。
【００９４】
ステップＳ１０１０において、受信機３０は、受信した第１のパケット又は第２のＩＰパケットに含まれている映像情報又は音声情報を再生すると共に、受信した第１のパケット又は第２のＩＰパケットに含まれているＰＣＲ＃１又はＰＣＲ＃２に基づいて、ＳＴＣを調整することによって送信機１０との同期を取る。
【００９５】
第２に、図７を参照して、本実施形態に係る受信機３０においてＳＴＣ（内部基準クロック）を調整する動作について説明する。
【００９６】
図７に示すように、ステップＳ１０１において、受信機３０の受信処理部３１が、受信したＩＰパケットに含まれているＴＳパケットに挿入されているＰＳＩを参照して、ＰＣＲ＃１又はＰＣＲ＃２を抽出する。
【００９７】
ステップＳ１０２において、受信処理部３１が、受信したＩＰパケットにおけるＴＣＰヘッダに挿入されている送信シーケンス番号に基づいて、受信したＩＰパケットが再送されたＩＰパケットであるか否かについて判定する。
【００９８】
再送されたＩＰパケットでない場合、本動作は、ステップＳ１０３に進み、再送されたＩＰパケットでない場合、本動作は、終了する。
【００９９】
ステップＳ１０３において、受信処理部３１が、抽出したＰＣＲ＃１又はＰＣＲ＃２を、クロック管理部３５に送信し、クロック管理部３５が、受信したＰＣＲ＃１又はＰＣＲ＃２に基づいてＳＴＣを調整することによって、送信機１０との同期を取る。
【０１００】
（本実施形態に係る配信システムの作用・効果）
本実施形態に係る配信システムによれば、各受信機３０Ａ乃至３０Ｃが、再送されたＩＰパケットに含まれているクロック情報（ＰＣＲ＃１又はＰＣＲ＃２）に基づくのではなく、再送されることなく正常に受信されたＩＰパケットに含まれているクロック情報（ＰＣＲ＃１又はＰＣＲ＃２）に基づいて、内部基準クロック（ＳＴＣ）の調整を行うため、当該ＩＰパケットが再送された受信機３０Ａとその他の受信機３０Ｂ及び３０Ｃとの間で、内部基準クロック（ＳＴＣ）にずれが生じ、音声情報及び映像情報の再生処理を行う際に、各受信機３０Ａ乃至３０Ｃにおいて同期が取れないという事態が発生することを回避することができる。
【０１０１】
また、本実施形態に係る配信システムによれば、送信機１０が、音声情報及び映像情報の両方を必要としない受信機３０Ａ乃至３０Ｃに対して、必要な情報のみを送信することができ、また、音声情報及び映像情報の両方を必要としない受信機３０Ａ乃至３０Ｃにおいて、必要な情報（例えば、音声情報又は映像情報）のみを受信することができ、トラフィックの増大を防ぐことができる。
【０１０２】
（本発明の第２の実施形態に係る配信システム）
次に、図８乃至図１０を参照して、本発明の第２の実施形態に係る配信システムについて説明する。以下、本実施形態に係る配信システムについて、上述の第１の実施形態に係る配信システムとの相違点を主として説明する。
【０１０３】
図８に示すように、本実施形態に係る配信システムでは、送信機１０が、無線ＩＰネットワークを介して、ユニキャスト通信によって、映像情報（第１のコンテンツ情報）を含む第１のパケットを第１の受信機（受信機３０Ａ）に対して送信し、音声情報（第２のコンテンツ情報）を含む第２のパケットを第２の受信機（受信機３０Ｂ及び３０Ｃ）に対して送信するように構成されている。
【０１０４】
また、本実施形態に係る配信システムでは、送信機１０が、クロック情報（ＰＣＲ）を含む第３のパケットを、無線ＩＰネットワークを介して、マルチキャスト通信によって、受信機３０Ａ乃至３０Ｃに対して送信するように構成されている。  本実施形態に係る送信機１０におけるＰＳＩ更新部１３は、記憶部１１に記憶されているＴＳパケットに挿入されている第１のコンテンツ構成情報（図９（ａ）の構造を有するＰＳＩ）を、映像情報（第１のコンテンツ情報）を受信するために必要であり、かつ、音声情報（第２のコンテンツ情報）を受信するために必要な第２のコンテンツ構成情報（図９（ｂ）の構造を有するＰＳＩ）に変更するように構成されている。
【０１０５】
なお、本実施形態では、第２のコンテンツ構成情報は、図９（ｂ）に示す構造を有する１つのＰＳＩによって実現されているが、映像情報を受信するために必要なＰＳＩ及び音声情報を受信するために必要なＰＳＩというように複数のＰＳＩによって実現されていてもよい。
【０１０６】
図９（ｂ）に示すように、変更後のＰＳＩにおいて、ＰＡＴが、ＰＭＴ＃１が挿入されているＴＳパケットの「ＰＩＤ＝Ｎ１」を記述すると共に、ＰＭＴ＃２が挿入されているＴＳパケットの「ＰＩＤ＝Ｎ２」を記述している。
【０１０７】
また、かかる変更後のＰＳＩにおいて、「ＰＩＤ＝Ｎ１」のＴＳパケットに挿入されているＰＭＴ＃１は、映像情報が挿入されているＴＳパケットの「ＰＩＤ＝ＶＮ」のみを記述している。
【０１０８】
また、かかる変更後のＰＳＩにおいて、「ＰＩＤ＝Ｎ２」のＴＳパケットに挿入されているＰＭＴ＃２は、音声情報が挿入されているＴＳパケットの「ＰＩＤ＝ＡＮ」のみを記述している。
【０１０９】
送信処理部１５は、映像情報と第２のコンテンツ構成情報（図９（ｂ）の構造を有するＰＳＩ）とを含む第１のパケットを第１の受信機（受信機３０Ａ）に対して送信し、音声情報と第２のコンテンツ構成情報（図３（ｂ）の構造を有するＰＳＩ）とを含む第２のパケットを第２の受信機（受信機３０Ｂ及び３０Ｃ）に対して送信するように構成されている。
【０１１０】
具体的には、図１０（ａ）に示すように、送信処理部１５は、映像情報又は音声情報が挿入されているＴＳパケットに対してＴＣＰヘッダ及びＩＰヘッダが付与されたフォーマットのＩＰパケット、すなわち、映像情報又は音声情報が挿入されているＴＳパケットを含むＩＰパケットを、受信機３０Ａ又は受信機３０Ｂ及び３０Ｃに対して送信するように構成されている。
【０１１１】
また、送信処理部１５は、クロック情報（ＰＣＲ）を含む第３のパケットを生成して、マルチキャスト通信によって、受信機３０Ａ乃至３０Ｃに対して送信するように構成されている。
【０１１２】
具体的には、図１０（ｂ）に示すように、送信処理部１５は、ＰＣＲ生成部により生成されたクロック情報（ＰＣＲ）が挿入されているＴＳパケットに対してＴＣＰヘッダ及びＩＰヘッダが付与されたフォーマットのＩＰパケット、すなわち、映像情報又は音声情報が挿入されているＴＳパケットを含むＩＰパケットを、マルチキャスト通信によって、受信機３０Ａ乃至３０Ｃに対して送信するように構成されている。
【０１１３】
なお、ＰＣＲ生成部１４は、送信処理部１５によってクロック情報を含むＩＰパケットが送信される際のクロック情報（ＰＣＲ）を生成するように構成されている。例えば、ＰＣＲ生成部１４は、送信処理部１５によってクロック情報を含むＩＰパケットが送信される際のＳＴＣをＰＣＲに挿入するように構成されている。
【０１１４】
また、本実施形態に係る受信機３０のクロック管理部３５は、ユニキャスト通信によって送信された音声情報又は映像情報を含むＩＰパケットとは別に、マルチキャスト通信によって送信されたＩＰパケットに含まれているクロック情報（ＰＣＲ）に基づいてＳＴＣを調整することによって、送信機１０との同期を取るように構成されている。
【０１１５】
なお、本実施形態に係る送信機１０において、第１のコンテンツ情報として第１の映像情報が用いられ、第２のコンテンツ情報として第２の映像情報が用いられてもよい。
【０１１６】
本実施形態に係る配信システムによれば、各受信機３０Ａ乃至３０Ｃが、音声情報又は映像情報を含むＩＰパケットとは別に、マルチキャスト通信によって送信されるクロック情報（ＰＣＲ）に基づいて、内部基準クロック（ＳＴＣ）を調整するため、音声情報又は映像情報を含むパケットが再送された場合であっても、当該パケットが再送された受信機３０Ａとその他の受信機３０Ｂ及び３０Ｃとの間で、内部基準クロック（ＳＴＣ）にずれが生じ、音声情報及び映像情報の再生処理を行う際に、各受信機３０Ａ乃至３０Ｃにおいて同期が取れないという事態が発生することを回避することができる。
【０１１７】
また、本実施形態に係る配信システムによれば、送信機１０が、音声情報及び映像情報の両方を必要としない受信機３０Ａ乃至３０Ｃに対して、必要な情報のみを送信することができ、また、音声情報及び映像情報の両方を必要としない受信機３０Ａ乃至３０Ｃにおいて、必要な情報（例えば、音声情報又は映像情報）のみを受信することができ、トラフィックの増大を防ぐことができる。
【０１１８】
（本発明の第３の実施形態に係る配信システム）
次に、図１１及び図１２を参照して、本発明の第３の実施形態に係る配信システムについて説明する。以下、本実施形態に係る配信システムについて、上述の第１の実施形態に係る配信システムとの相違点を主として説明する。
【０１１９】
図１１に示すように、本実施形態に係る配信システムでは、送信機１０が、映像情報とＰＣＲ＃１とを含むＩＰパケットを、ディスプレイである受信機３０Ａに対して送信し、復号された音声情報（Ｌｉｎｅｒ  ＰＣＭ＃１及びＬｉｎｅｒ  ＰＣＭ＃２）とＰＣＲ＃２とを含むＩＰパケットを、スピーカ＃１である受信機３０Ｂ及びスピーカ＃２である受信機３０Ｃに対して送信するように構成されている。
【０１２０】
本実施形態に係る送信機１０は、上述の第１の実施形態に係る送信機１０の構成に加えて、音声分離部１２Ａを具備している。
【０１２１】
音声分離部１２Ａは、分離処理部１２から出力された音声情報に対して復号処理を行い、Ｌｉｎｅｒ  ＰＣＭ＃１乃至＃ｎを生成するように構成されている。
【０１２２】
なお、ＰＳＩ更新部１３は、図３（ｂ）の構成を具備するＰＳＩにおいて、各Ｌｉｎｅｒ  ＰＣＭ＃１乃至＃ｎに対応する数のＰＭＴを準備するように構成されていてもよいし、１つのＰＭＴに、各Ｌｉｎｅｒ  ＰＣＭ＃１乃至＃ｎが挿入されているＴＳパケットのＰＩＤを記述するように構成されていてもよい。
【０１２３】
送信処理部１５は、各Ｌｉｎｅｒ  ＰＣＭ＃１乃至＃ｎとクロック情報（ＰＣＲ＃２）とを含むＩＰパケットを生成して、各Ｌｉｎｅｒ  ＰＣＭ＃１乃至＃ｎに対応する受信機３０Ｂ及び３０Ｃに対して当該ＩＰパケットを送信するように構成されている。  なお、本実施形態に係る送信機１０において、第１のコンテンツ情報として第１のチャネル用の音声情報（例えば、Ｌｉｎｅｒ  ＰＣＭ＃１）が用いられ、第２のコンテンツ情報として第２のチャネル用の音声情報（例えば、Ｌｉｎｅｒ  ＰＣＭ＃２）が用いられてもよい。
【０１２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１２５】
【図１】本発明の第１の実施形態に係る送信機及び受信機を具備する配信システムの全体構成図である。
【図２】本発明の第１の実施形態に係る送信機の機能ブロック図である。
【図３】本発明の第１の実施形態に係る送信機のＰＳＩ更新部によるＰＳＩの更新方法について説明するための図である。
【図４】本発明の第１の実施形態に係る送信機の送信処理部により生成されるＩＰパケットのフォーマットの一例を示す図である。
【図５】本発明の第１の実施形態に係る受信機の機能ブロック図である。
【図６】本発明の第１の実施形態に係る送信機と受信機との間のＩＰパケットの配信方法を示すシーケンス図である。
【図７】本発明の第１の実施形態に係る受信機において内部基準クロックを調整する動作を示すフローチャートである。
【図８】本発明の第２の実施形態に係る送信機及び受信機を具備する配信システムの全体構成図である。
【図９】本発明の第２の実施形態に係る送信機のＰＳＩ更新部によるＰＳＩの更新方法について説明するための図である。
【図１０】本発明の第２の実施形態に係る送信機の送信処理部により生成されるＩＰパケットのフォーマットの一例を示す図である。
【図１１】本発明の第３の実施形態に係る送信機及び受信機を具備する配信システムの全体構成図である。
【図１２】本発明の第３の実施形態に係る送信機の機能ブロック図である。
【符号の説明】
【０１２６】
１０…送信機
１１…記憶部
１２…分離処理部
１２Ａ…音声分離部
１３…ＰＳＩ更新部
１４…ＰＣＲ生成部
１５…送信処理部
１６…バッファ
１７…再送要求受信部
３０Ａ、３０Ｂ、３０Ｃ…受信機
３１…受信処理部
３２…バッファ
３３…復号処理部
３４…再生処理部
３５…クロック管理部
３６…再送要求送信部
【図１】
2008085500.tif 000003
【図２】
2008085500.tif 000004
【図３】
2008085500.tif 000005
【図４】
2008085500.tif 000006
【図５】
2008085500.tif 000007
【図６】
2008085500.tif 000008
【図７】
2008085500.tif 000009
【図８】
2008085500.tif 000010
【図９】
2008085500.tif 000011
【図１０】
2008085500.tif 000012
【図１１】
2008085500.tif 000013
【図１２】
2008085500.tif 000014